(57)【要約】【課題】掃除機、アイロン、電動工具、電動玩具等、コンデンサに蓄電した電力で作動するコードレス電気機器のコンデンサを廃棄する場合等に、それを取り扱う作業員等が当該コンデンサの電極に接触して感電する危険性を解消すること。【解決手段】コードレス電気機器等に取り付けられるコンデンサ用の安全装置であって、当該コンデンサを電気機器から取り外す操作に起因して、該コンデンサの一対の電極を電気的に接続し、内部に蓄電されている電気を放電させる放電用導電体を設けた。【選択図】        図１
2005064036.tif 000002
【特許請求の範囲】
【請求項１】
電気機器に取り付けられるコンデンサ用の安全装置であって、当該コンデンサを電気機器から取り外す操作に起因して、該コンデンサの一対の電極を電気的に接続し放電させる放電用導電体を設けたことを特徴とするコンデンサ用安全装置。
【請求項２】
放電用導電体にはコンデンサの急激な放電を規制する負荷が設けられている請求項１に記載のコンデンサ用安全装置。
【請求項３】
コンデンサの一対の電極間に両電極に接触する方向に付勢された状態で保持されている導電体と、電気機器にコンデンサが装着されている状態では前記導電体を電極に接触しないように規制するが、コンデンサを電気機器から取り外すときは導電体に対する規制が解除されて当該導電体を両電極に接触させるストッパ部材とを備えている請求項１又は２に記載のコンデンサ用安全装置。
【発明の詳細な説明】
【０００１】
【発明の属する技術分野】
本発明は、掃除機、電動工具、電動玩具等のコードレス電気機器等に使用されるコンデンサによる感電事故を防止するための安全装置に関するものである。
【０００２】
【従来の技術】
コードレス電気機器には、充電装置として電気二重層コンデンサを用いたものが知られている。この電気二重層コンデンサは、瞬間的に充電を行うことができるので、便利なものであり、最近コードレス電気機器の充電装置として多用されるようになった。
【０００３】
この電気二重層コンデンサを利用した電源装置としては、例えば特許文献１に記載のものが公知である。
【０００４】
【特許文献１】
特開平７−１３５０２５号公報
【０００５】
【発明が解決しようとする課題】
上記電気二重層コンデンサは、短時間で大電力を蓄電できるという利点があるが、一対の電極が短絡したときは蓄電された電力が一気に放電されるので、誤って電極に接触した場合等に大変危険である。また、電気機器から取り外されたコンデンサに蓄電されているかどうかは外見から判別できないので、使用済みのコンデンサを廃棄する場合にも廃棄物処理作業員が感電する危険性があった。
【０００６】
本発明は、最近のコンデンサの用途の拡大に伴い、寿命等で電気機器から取り外されたコンデンサによる感電事故を未然に防止できる安全装置を提供することを課題としている。
【０００７】
【課題を解決するための手段】
上記課題を解決するため本発明は、次のような構成とした。すなわち、本発明に係る発明は、電気機器に取り付けられるコンデンサ用の安全装置であって、当該コンデンサを電気機器から取り外す操作に起因して、該コンデンサの一対の電極を電気的に接続し放電させる放電用導電体を設けたことを特徴ととしている。
この放電用導電体としては、瞬間的に放電すると衝撃や騒音が発生するので、電気抵抗等の適当な負荷を設けておくのが好ましい。
【０００８】
この安全装置は、コンデンサを電気機器に装着した状態では通常通りの充電と放電の支障とならないが、当該コンデンサを電気機器から取り外す時に該コンデンサの両電極を短絡させ、内部に蓄電されている電力を放電するので、取り外したコンデンサの電極に接触しても感電する恐れがない。このため、使用済のコンデンサを廃棄する場合も安全である。
【０００９】
【発明の実施の形態】
以下、具体例を挙げつつ、本発明について詳しく説明する。図１は本発明に係るコンデンサの安全装置の１例を表すもので、この安全装置１は、電気機器に設けられている電気二重層コンデンサＣに取り付けられる。コンデンサＣは、一対の棒状の電極Ｐ，Ｐを備え、該電極を電気機器の基盤Ｓに設けられたソケット５の嵌合穴６，６に挿入することにより取り付けられている。嵌合穴６，６には筒状の電極が設けられており、この電極にコンデンサの電極が挿入されると両者が弾力的に密着して、電気的に接続されるようになっている。
【００１０】
安全装置１は、コンデンサの電極部に装着される基体２を備えている。この基体２には、電極Ｐ，Ｐが嵌合する一対の開口３，３が設けられていて、この部分に電極を嵌合した状態で前記ソケット５の嵌合穴６，６に挿入するようになっている。
【００１１】
上記基体２には、コンデンサＤの電極Ｐ，Ｐを電気的に接続する導電体１０が設けられている。導電体１０は、基部が一方の電極Ｐに接触し、先端部が反対側の電極に向かって突出する一対の部材７，７からなる。部材７はコイルバネ８の先端部に端子９を固着したもので、バネの弾力により、常時互いに接触する方向に付勢されている。
【００１２】
一方、上記部材７，７の間には、両部材の接触を防止する絶縁体１１が設けられている。この絶縁体１１が抜き取られると、両部材７，７の端子９同士が接触するので、コンデンサの一対の電極が短絡し、放電が行われるのである。
【００１３】
なお、コンデンサに蓄電されている電気量が大きい場合は、両電極を短絡させると一挙に放電が行われるため、火花や衝撃音が発生するという問題がある。このため、電極間を短絡させる導電体１０に電気抵抗等の適当な負荷を介装しておくのが好ましい。導電体１０自体を電気抵抗とすることも可能である。このようにしておくと、放電が瞬間的に行われないため、火花や衝撃音の発生は抑制される。
【００１４】
次に、図３は上記と異なる実施形態を表すもので、このコンデンサ用安全装置１’は、両電極Ｐ，Ｐの間に凹部２１を有する容器状部材２０が設けられていて、この凹部２１に紙、布等の含水性を有する絶縁材２２が収納されている。コンデンサの取り外しに際しては、この絶縁材２２に水を滴下して、滲み込ませる操作を行う。すると、絶縁材２２に含まれた水によって両電極が電気的に接続させられる。このこの例では、コンデンサを取り外す前に水を供給するという特別の操作が必要であるが、水はどこでも簡単に入手できるので、問題はない。また、この操作も、広義にはコンデンサの取り外し操作の一つとみなすことができる。
なお、上記容器状部材等に、コンデンサ取り外しの際に水を滴下するよう表示しておけば、より確実に放電処理が行われるので、安全性は向上する。
【００１５】
以上の他にも、種々の構造のものが考えられる。要は、蓄電されているコンデンサを電気機器から取り外す時に、簡単に放電させることができるものであればよい。
【００１６】
【発明の効果】
以上の説明から明らかなように、本発明に係るコンデンサ用安全装置は、コンデンサを電気機器から取り外す時に簡単に放電することができるので、誤って蓄電されたままのコンデンサの電極に接触して感電するような事故を未然に防ぐことが可能となった。
【図面の簡単な説明】
【図１】コンデンサ用安全装置の１例を表す外観図である。
【図２】その動作を表す説明図である。
【図３】上記と異なる実施形態を表す外観図である。
【符号の説明】
１，１’コンデンサ用安全装置
２      基体
３      開口
５      ソケット
９      端子
１０      導電体
１１      絶縁体
２０      容器状部材
２１      凹部
２２      絶縁材
Ｃ      コンデンサ
Ｐ      電極
【図１】
2005064036.tif 000003
【図２】
2005064036.tif 000004
【図３】
2005064036.tif 000005